(57)【要約】【課題】鏡筒の周囲に効率的に部品や部材を配置することができ無駄なスペースの発生を抑制するとともに小型化を図る上で有利なレンズ鏡筒および撮像装置を提供する。【解決手段】レンズ鏡筒１０は、鏡筒１２を含んで構成され、鏡筒１２は、全体として幅および長さ並びに厚さを有する平板形状を呈し、長さ方向において分割された第１鏡筒分割体１２０２、第２鏡筒分割体１２０４、これら２つの鏡筒分割体の間に挟まれる第３鏡筒分割体１２０６とで構成される。ズーム用レンズ枠１８０６の保持部１８１０の箇所で部品収容空間１２０２Ａの隅部１２０２Ｂに位置する箇所に係合溝１８１８が形成され、係合溝１８１８には、第１鏡筒分割体１２０２の長さ方向に延在するサブガイド軸が滑動可能に挿通される。【選択図】        図８
2005121930.tif 000002
【特許請求の範囲】
【請求項１】
幅および長さ並びに厚さを有する平板形状の鏡筒と、
前記厚さ方向の一方の面をなす前記鏡筒の前面に設けられた対物レンズと、
前記鏡筒の内部で前記長さ方向において前記対物レンズが設けられた箇所とは異なる箇所に設けられた撮像素子と、
前記鏡筒の内部に設けられ前記対物レンズで捉えた被写体像を前記撮像素子に導く光学系とを備え、
前記光学系は、該光学系の光軸方向に移動可能に設けられた可動レンズ群と、前記可動レンズ群を移動可能に支持する案内機構とを有し、
さらに、前記可動レンズ群を移動させる駆動手段が設けられ、
前記案内機構は、前記鏡筒内で前記可動レンズ群の光軸方向に平行して延在し前記可動レンズ群の部分に係合した状態で該可動レンズ群を前記可動レンズの光軸方向に案内するメインガイド軸と、前記鏡筒内で前記メインガイド軸と平行に設けられ前記可動レンズ群の部分に係合することで前記可動レンズ群が前記メインガイド軸の回りに回転することを阻止するサブガイド軸とを有し、
前記可動レンズ群と、前記メインガイド軸または前記サブガイド軸の一方のガイド軸とは前記鏡筒の内部で前記幅方向に沿って並べられて配置され、
前記メインガイド軸または前記サブガイド軸の他方のガイド軸は、前記可動レンズ群を挟んで前記一方のガイド軸とは反対側に位置する前記鏡筒の内部で前記幅方向と前記厚さ方向とが交わる隅部に配置されている、
ことを特徴とするレンズ鏡筒。
【請求項２】
前記対物レンズは、前記鏡筒の前面で前記長さ方向の一端に設けられ、前記撮像素子は、前記鏡筒の内部で前記長さ方向の他端に設けられていることを特徴とする請求項１記載のレンズ鏡筒。
【請求項３】
前記光学系は、前記鏡筒の内部に設けられ前記対物レンズから導かれた被写体像を前記撮像素子に向けて反射させる反射部材を有し、前記可動レンズ群は前記反射部材と撮像素子との間に設けられていることを特徴とする請求項１記載のレンズ鏡筒。
【請求項４】
前記可動レンズ群は可動レンズと、この可動レンズを支持するレンズ枠とを有し、前記メインガイド軸およびサブガイド軸はそれぞれ前記レンズ枠に係合していることを特徴とする請求項１記載のレンズ鏡筒。
【請求項５】
前記一方のガイド軸はメインガイド軸であり、前記駆動手段は回転駆動される駆動軸を有し、前記駆動軸は前記メインガイド軸と平行して延在し前記鏡筒の内部で前記可動レンズ群と前記メインガイド軸とともに前記幅方向に沿って並べられて配置されていることを特徴とする請求項１記載のレンズ鏡筒。
【請求項６】
前記一方のガイド軸はメインガイド軸であり、前記駆動手段はモータと、該モータにより回転駆動される駆動軸とを有し、前記モータは前記鏡筒の外面に取着され、前記駆動軸は前記メインガイド軸と平行に延在し前記鏡筒の内部で前記可動レンズ群と前記メインガイド軸とともに前記幅方向に沿って並べられて配置されていることを特徴とする請求項１記載のレンズ鏡筒。
【請求項７】
前記可動レンズ群は可動レンズと、この可動レンズを支持するレンズ枠とを有し、前記鏡筒の厚さ方向における可動レンズの両端部分に、前記前面および前記厚さ方向の他方の面をなす前記鏡筒の後面に平行して延在する縁部がそれぞれ設けられ、前記レンズ枠の前記厚さ方向の両端部分に、前記前面および前記厚さ方向の他方の面をなす前記鏡筒の後面に平行して延在する直線部がそれぞれ設けられていることを特徴とする請求項１記載のレンズ鏡筒。
【請求項８】
前記他方のガイド軸はサブガイド軸であり、前記サブガイド軸は、前記鏡筒の内部の部分が膨出することで該鏡筒と一体に形成されていることを特徴とする請求項１記載のレンズ鏡筒。
【請求項９】
前記鏡筒は、前記長さ方向において分割された第１鏡筒分割体および第２鏡筒分割体と、これら２つの鏡筒分割体の間に挟まれる第３鏡筒分割体とで構成されていることを特徴とする請求項１記載のレンズ鏡筒。
【請求項１０】
前記可動レンズ群は、ズーム用可動レンズ群とフォーカス用可動レンズ群とを有し、前記第１鏡筒分割体の前面に対物レンズが設けられ、前記第１鏡筒分割体の内部に前記ズーム用可動レンズ群とその案内機構および駆動手段が設けられ、前記第２鏡筒分割体の内部に前記撮像素子とフォーカス用可動レンズ群とその案内機構および駆動手段が設けられ、前記第３鏡筒分割体に前記ズーム用可動レンズ群およびフォーカス用可動レンズ群に光軸を合致させた固定レンズが設けられていることを特徴とする請求項９記載のレンズ鏡筒。
【請求項１１】
前記他方のガイド軸はサブガイド軸であり、前記可動レンズ群は、ズーム用可動レンズ群とフォーカス用可動レンズ群とを有し、前記第１鏡筒分割体の前面に対物レンズが設けられ、前記第１鏡筒分割体の内部に前記ズーム用可動レンズ群とその案内機構および駆動手段が設けられ、前記第２鏡筒分割体の内部に前記撮像素子とフォーカス用可動レンズ群とその案内機構および駆動手段が設けられ、前記第３鏡筒分割体に前記ズーム用可動レンズ群およびフォーカス用可動レンズ群に光軸を合致させた固定レンズが設けられ、前記ズーム用可動レンズ群の案内機構のサブガイド軸は第１鏡筒分割体の合わせ面よりも突出し、このサブガイド軸の突出部分が第３鏡筒分割体の合わせ面の孔に嵌合することで第１鏡筒分割体と第３鏡筒分割体とが位置決めされ、前記フォーカス用可動レンズ群の案内機構のサブガイド軸は第２鏡筒分割体の合わせ面よりも突出し、このサブガイド軸の突出部分が第３鏡筒分割体の合わせ面の孔に嵌合することで第２鏡筒分割体と第３鏡筒分割体とが位置決めされることを特徴とする請求項９記載のレンズ鏡筒。
【請求項１２】
幅および長さ並びに厚さを有する平板形状の鏡筒と、
前記厚さ方向の一方の面をなす前記鏡筒の前面に設けられた対物レンズと、
前記鏡筒の内部で前記長さ方向において前記対物レンズが設けられた箇所とは異なる箇所に設けられた撮像素子と、
前記鏡筒の内部に設けられ前記対物レンズで捉えた被写体像を前記撮像素子に導く光学系とを備え、
前記光学系は、該光学系の光軸方向に移動可能に設けられた可動レンズ群と、前記可動レンズ群を移動可能に支持する案内機構とを有し、
さらに、前記可動レンズ群を移動させる駆動手段が設けられ、
前記案内機構は、前記鏡筒内で前記可動レンズ群の光軸方向に平行して延在し前記可動レンズ群の部分に係合した状態で該可動レンズ群を前記可動レンズの光軸方向に案内する２本のガイド軸を有し、
前記２本のガイド軸の一方と可動レンズ群とは前記鏡筒の内部で前記幅方向に沿って並べられて配置され、
前記２本のガイド軸の他方は、前記可動レンズ群を挟んで前記一方のガイド軸とは反対側に位置する前記鏡筒の内部で前記幅方向と前記厚さ方向とが交わる隅部に配置されている、
ことを特徴とするレンズ鏡筒。
【請求項１３】
幅および長さ並びに厚さを有する平板形状の鏡筒と、
前記厚さ方向の一方の面をなす前記鏡筒の前面に設けられた対物レンズと、
前記鏡筒の内部で前記長さ方向において前記対物レンズが設けられた箇所とは異なる箇所に設けられた撮像素子と、
前記鏡筒の内部に設けられ前記対物レンズで捉えた被写体像を前記撮像素子に導く光学系とを備え、
前記光学系は、該光学系の光軸方向に移動可能に設けられた可動レンズ群と、前記可動レンズ群を移動可能に支持する案内機構とを有し、
さらに、前記可動レンズ群を移動させる駆動手段が設けられたレンズ鏡筒を有した撮像装置であって、
前記案内機構は、前記鏡筒内で前記可動レンズ群の光軸方向に平行して延在し前記可動レンズ群の部分に係合した状態で該可動レンズ群を前記可動レンズの光軸方向に案内するメインガイド軸と、前記鏡筒内で前記メインガイド軸と平行に設けられ前記可動レンズ群の部分に係合することで前記可動レンズ群が前記メインガイド軸の回りに回転することを阻止するサブガイド軸とを有し、
前記可動レンズ群と前記メインガイド軸とは前記鏡筒の内部で前記幅方向に沿って並べられて配置され、
前記サブガイド軸は、前記可動レンズ群を挟んで前記メインガイド軸とは反対側に位置する前記鏡筒の内部で前記幅方向と前記厚さ方向とが交わる隅部に配置されている、
ことを特徴とする撮像装置。
【発明の詳細な説明】
【技術分野】
【０００１】
本発明はレンズ鏡筒および撮像装置に関する。
【背景技術】
【０００２】
従来から、可動レンズ群と、この可動レンズ群が組み込まれる鏡筒とからなるレンズ鏡筒が提供されている（例えば特許文献１参照）。
このようなレンズ鏡筒は可動レンズ群の光軸を中心軸とする円筒形状を呈しており、鏡筒内には、前記光軸方向に平行して延在し前記可動レンズ群をそれらの光軸方向に案内する案内機構が設けられている。
【特許文献１】特開平６−１０５１９６号公報
【発明の開示】
【発明が解決しようとする課題】
【０００３】
このようなレンズ鏡筒は鏡筒が円筒状を呈しているため、レンズ鏡筒を撮像装置などに組み込んだ場合に鏡筒の周囲に鏡筒の外周の曲面に沿って部品や部材を配置しなくてはならず、部品や部材の効率的な配置を行うことが難しく、無駄なスペースが生じやすいため、撮像装置の小型化を図る上で不利であった。
本発明はこのような事情に鑑みなされたものであり、無駄なスペースの発生を抑制するとともに小型化を図る上で有利なレンズ鏡筒および撮像装置を提供することにある。
【課題を解決するための手段】
【０００４】
上述の目的を達成するため、本発明のレンズ鏡筒は、幅および長さ並びに厚さを有する平板形状の鏡筒と、前記厚さ方向の一方の面をなす前記鏡筒の前面に設けられた対物レンズと、前記鏡筒の内部で前記長さ方向において前記対物レンズが設けられた箇所とは異なる箇所に設けられた撮像素子と、前記鏡筒の内部に設けられ前記対物レンズで捉えた被写体像を前記撮像素子に導く光学系とを備え、前記光学系は、該光学系の光軸方向に移動可能に設けられた可動レンズ群と、前記可動レンズ群を移動可能に支持する案内機構とを有し、さらに、前記可動レンズ群を移動させる駆動手段が設けられ、前記案内機構は、前記鏡筒内で前記可動レンズ群の光軸方向に平行して延在し前記可動レンズ群の部分に係合した状態で該可動レンズ群を前記可動レンズの光軸方向に案内するメインガイド軸と、前記鏡筒内で前記メインガイド軸と平行に設けられ前記可動レンズ群の部分に係合することで前記可動レンズ群が前記メインガイド軸の回りに回転することを阻止するサブガイド軸とを有し、前記可動レンズ群と前記メインガイド軸とは前記鏡筒の内部で前記幅方向に沿って並べられて配置され、前記サブガイド軸は、前記可動レンズ群を挟んで前記メインガイド軸とは反対側に位置する前記鏡筒の内部で前記幅方向と前記厚さ方向とが交わる隅部に配置されていることを特徴とする。
また、本発明のレンズ鏡筒は、幅および長さ並びに厚さを有する平板形状の鏡筒と、前記厚さ方向の一方の面をなす前記鏡筒の前面に設けられた対物レンズと、前記鏡筒の内部で前記長さ方向において前記対物レンズが設けられた箇所とは異なる箇所に設けられた撮像素子と、前記鏡筒の内部に設けられ前記対物レンズで捉えた被写体像を前記撮像素子に導く光学系とを備え、前記光学系は、該光学系の光軸方向に移動可能に設けられた可動レンズ群と、前記可動レンズ群を移動可能に支持する案内機構とを有し、さらに、前記可動レンズ群を移動させる駆動手段が設けられ、前記案内機構は、前記鏡筒内で前記可動レンズ群の光軸方向に平行して延在し前記可動レンズ群の部分に係合した状態で該可動レンズ群を前記可動レンズの光軸方向に案内する２本のガイド軸を有し、前記２本のガイド軸の一方と可動レンズ群とは前記鏡筒の内部で前記幅方向に沿って並べられて配置され、前記２本のガイド軸の他方は、前記可動レンズ群を挟んで前記一方のガイド軸とは反対側に位置する前記鏡筒の内部で前記幅方向と前記厚さ方向とが交わる隅部に配置されていることを特徴とする。
また、本発明の撮像装置は、幅および長さ並びに厚さを有する平板形状の鏡筒と、前記厚さ方向の一方の面をなす前記鏡筒の前面に設けられた対物レンズと、前記鏡筒の内部で前記長さ方向において前記対物レンズが設けられた箇所とは異なる箇所に設けられた撮像素子と、前記鏡筒の内部に設けられ前記対物レンズで捉えた被写体像を前記撮像素子に導く光学系とを備え、前記光学系は、該光学系の光軸方向に移動可能に設けられた可動レンズ群と、前記可動レンズ群を移動可能に支持する案内機構とを有し、さらに、前記可動レンズ群を移動させる駆動手段が設けられたレンズ鏡筒を有した撮像装置であって、前記案内機構は、前記鏡筒内で前記可動レンズ群の光軸方向に平行して延在し前記可動レンズ群の部分に係合した状態で該可動レンズ群を前記可動レンズの光軸方向に案内するメインガイド軸と、前記鏡筒内で前記メインガイド軸と平行に設けられ前記可動レンズ群の部分に係合することで前記可動レンズ群が前記メインガイド軸の回りに回転することを阻止するサブガイド軸とを有し、前記可動レンズ群と前記メインガイド軸とは前記鏡筒の内部で前記幅方向に沿って並べられて配置され、前記サブガイド軸は、前記可動レンズ群を挟んで前記メインガイド軸とは反対側に位置する前記鏡筒の内部で前記幅方向と前記厚さ方向とが交わる隅部に配置されていることを特徴とする。
【発明の効果】
【０００５】
そのため、本発明によれば、鏡筒が幅および長さ並びに厚さを有する平板形状に形成され、かつ、可動レンズ群とメインガイド軸（２本のガイド軸）とを鏡筒の内部で幅方向に沿って並べて配置し、サブガイド軸（他方のガイド軸）を、可動レンズ群を挟んでメインガイド軸（一方のガイド軸）とは反対側に位置する鏡筒の内部のデッドスペースである隅部に配置したので、鏡筒の内部で鏡筒の前面、後面および左右の側面に沿って可動レンズ群やその案内機構を効率よく配置でき、無駄なスペースの発生を防止でき、鏡筒の幅方向および厚さ方向の寸法を削減することができ、撮像装置の小型化を図る上で有利となる。
【発明を実施するための最良の形態】
【０００６】
無駄なスペースの発生を抑制するとともに小型化を図るという目的を、幅および長さ並びに厚さを有する平板形状の鏡筒を採用し、かつ、この鏡筒の内部に可動レンズ群とメインガイド軸とサブガイド軸（２本のガイド軸）とを効率的に配置することによって実現した。
【実施例１】
【０００７】
次に本発明の実施例１について図面を参照して説明する。
本実施例では、本発明のレンズ鏡筒が撮像装置に組み込まれている場合について説明する。
図１は実施例１の撮像装置を前方から見た斜視図、図２は実施例１の撮像装置を後方から見た斜視図、図３は実施例１の撮像装置を下方から見た斜視図、図４はメモリカードおよびバッテリーの収容状態を説明する説明図、図５は撮像装置の制御系を示すブロック図である。
図１、図２に示すように、撮像装置１００はデジタルスチルカメラであって、外装を構成する矩形板状のケース１０２を有し、ケース１０２は、前側ケース１０２Ａと後側ケース１０２Ｂとが合わせられて構成され、前側ケース１０２Ａによりケース１０２の前面が構成され、後側ケース１０２Ｂによりケース１０２の後面が構成されている。なお、本明細書においてケース１０２の左右はケース１０２を前方から見た状態でいうものとする。
ケース１０２の右側部には、図中二点鎖線で示すように、本発明に係るレンズ鏡筒１０が組み込まれており、レンズ鏡筒１０には、対物レンズ１４と、撮像素子１２８と、対物レンズ１４で捉えた被写体像を撮像素子１２８に導く光学系１０４などが設けられている。
対物レンズ１４は前側ケース１０２Ａに設けられたレンズ窓１０３を介してケース１０２前方に臨んで配置されている。
ケース１０２の前面右寄りの箇所には、撮影補助光を出射するフラッシュ１０８、セルフタイマーランプ１１０などが設けられている。
ケース１２の前面にはカバー１１２が上下にスライド可能に設けられ、このカバー１１２は、図１に示すようにレンズ窓１０３、フラッシュ１０８、セルフタイマーランプ１１０を前方に露出させる下限位置と、これらレンズ窓１０３、フラッシュ１０８、セルフタイマーランプ１１０を覆う上限位置とにスライドされる。
ケース１２の上面の左寄り箇所には、シャッターボタン１１４、電源ボタン１１６などが設けられている。
ケース１２の後面には静止画および動画などの画像や文字や記号などが表示されるディスプレイ１１８（液晶表示器）、撮影光学系１０４のズーミング動作を行なわせるためのズームスイッチ１２０、各種操作を行なうための十字スイッチ１２２および複数の操作ボタン１２４が設けられている。
ケース１２の左側面には、撮像装置１００を静止画撮影モード、動画撮影モード、再生・編集モードなどに切り替えるためのモードスイッチ１２６が設けられている。
図３、図４に示すように、ケース１０２の下面には、静止画あるいは動画などの画像などを記録するためのメモリカード１３２を装脱可能に収容するメモリ収容室１０２Ａと、撮像装置１００の電源を構成するバッテリー１３８を装脱可能に収容するバッテリー収容室１０２Ｂとがケース１２の前後方向（厚さ方向）に並べて設けられている。これらメモリ収容室１０２Ａ、バッテリー収容室１０２Ｂはケース１０２の下面にヒンジを介して連結された開閉蓋１０２Ｃによって開閉される。
【０００８】
図５に示すように、撮像素子１２８は、光学系１０４によって結像された被写体像を撮像するＣＣＤやＣＭＯＳセンサなどで構成されている。
撮像素子１２８で撮像された像は撮像信号として画像処理部１３０に出力され、画像処理部１３０ではこの撮像信号に基づいて静止画あるいは動画の画像データが生成され、メモリカード（記憶媒体）１３２に記録される。また、前記画像データは表示処理部１３４によりディスプレイ１１８に表示される。
さらに、撮像装置１００は、シャッタボタン１１４、十字スイッチ１２２、操作ボタン１２４、モードスイッチ１２６の操作に応じて、画像処理部１３０、表示処理部１３４を制御するＣＰＵなどを含む制御部１３６を備えている。
【０００９】
図６はレンズ鏡筒１０を斜め前方から見た斜視図、図７はレンズ鏡筒１０を斜め後方から見た斜視図、図８はレンズ鏡筒１０の一部の構成を示す分解斜視図、図９はレンズ鏡筒１０の残りの構成を示す分解斜視図、図１０は図６のＸＸ線断面図、図１１は図６のＹＹ線断面図、図１２はレンズ鏡筒１０の左側部分の断面斜視図、図１３はレンズ鏡筒１０の右側部分の断面斜視図、図１４は第１鏡筒分割体１２０２の横断面図、図１５は第２鏡筒分割体１２０４の横断面図、図１６はズーム用可動レンズ群１８、フォーカス用可動レンズ群２０の斜視図、図１７は第２鏡筒分割体１２０４の要部の断面斜視図である。
【００１０】
図６乃至図９に示すように、レンズ鏡筒１０は、鏡筒１２と、対物レンズ１４と、撮像素子１２８と、光学系１０４とを含んで構成されている。
本実施例では、光学系１０４は、反射部材１６と、ズーム用可動レンズ群１８と、フォーカス用可動レンズ群２０と、第１の固定レンズ群２２と、第２の固定レンズ群２４と、第３の固定レンズ群２６と、ズーム用可動レンズ群１８用の案内機構２８と、フォーカス用可動レンズ群２０用の案内機構３０とを備えている。
さらに、ズーム用可動レンズ群１８を移動させる駆動手段３２と、フォーカス用可動レンズ群２０を移動させる駆動手段３４とが設けられている。
【００１１】
図６、図７に示すように、鏡筒１２は、全体として幅および長さ並びに厚さを有する平板形状を呈しており、断面が矩形であり、対物レンズ１４と撮像素子１２８と光学系１０４とは鏡筒１２の幅方向の中央部で鏡筒１２の長さ方向に沿って並べられて配置されている。
鏡筒１２は、長さ方向において分割された第１鏡筒分割体１２０２および第２鏡筒分割体１２０４と、これら２つの鏡筒分割体１２０２，１２０４の間に挟まれる第３鏡筒分割体１２０６とで構成され、鏡筒１２の長手方向の一方の半部に第１鏡筒分割体１２０２が位置し、鏡筒１２の長手方向方の他方の半部に第２鏡筒分割体１２０４が位置し、これら第１鏡筒分割体１２０２および第２鏡筒分割体１２０４の間に第３鏡筒分割体１２０８が介在されている。
なお、本実施例では、図１に示すように、鏡筒１２の長さ方向が上下方向に向けて配置されることから、鏡筒１２の上部に第１鏡筒分割体１２０２が位置し、鏡筒１２の下部に第２鏡筒分割体１２０４が位置し、鏡筒１２の上下方向の中央部に第３鏡筒分割体１２０８が位置している。そして、撮像装置１００のケース１０２の前面に平行する鏡筒１２の厚さ方向の一方の面が鏡筒１２の前面となり、ケース１０２の後面に平行する他方の面が鏡筒１２の後面となり、鏡筒１２の幅方向の一方の面が左側面となり、他方の面が右側面となる。また、本実施例では、これら第１、第２、第３鏡筒分割体１２０２、１２０４、１２０６は合成樹脂材料によって形成されている。
【００１２】
図８、図１０乃至図１３に示すように、第１鏡筒分割体１２０２の内部には、下面に開放状の部品収容空間１２０２Ａが設けられており、対物レンズ１４はその前面側にレンズ押え１４０２が位置し後面側に遮光枠１４０４が位置した状態で、第１鏡筒分割体１２０２の前面の上部でかつ幅方向の中央部に取着されている。
反射部材１６は、対物レンズ１４で捉えた像を下部に向けて（撮像素子１２８側に）反射させるもので本実施例ではプリズムが用いられている。反射部材１６は、部品収容空間１２０２Ａで対物レンズ１４に臨む箇所に配置されている。
第１の固定レンズ群２２とズーム用可動レンズ群１８とは、部品収容空間１２０２Ａ内で反射部材１６の下方に配置されている。
第１の固定レンズ群２２は、第１鏡筒分割体１２０２の取付部に組み込まれる第１の固定レンズ２２０２と、この第１の固定レンズ２２０２を前記取付部に固定させる押え部材（遮光枠を兼ねる）２２０４とで構成されている。
【００１３】
図８に示すように、ズーム用可動レンズ群１８は、第１のズームレンズ１８０２と、互いに貼り合わされた第２、第３のズームレンズ１８０４、１８０５と、これら第１、第２、第３のズームレンズ１８０２、１８０４、１８０５の外周部をカシメにより支持したズーム用レンズ枠１８０６とを有している。
図１４に示すように、鏡筒１２の厚さ方向の両端に位置する第１、第２、第３のズームレンズ１８０２、１８０４、１８０５の部分はそれぞれ切り取られ、これにより鏡筒１２の厚さ方向の端部に位置する第１、第２、第３のズームレンズ１８０２、１８０４、１８０５の両端には、鏡筒１２の前面および後面に平行して直線状に延在する縁部１８０８が設けられている。
ズーム用レンズ枠１８０６は、第１、第２、第３のズームレンズ１８０２、１８０４、１８０５の周囲に位置しこれら第１、第２、第３のズームレンズ１８０２、１８０４、１８０５を保持する保持部１８１０と、この保持部１８１０から部品収容空間１２０２Ａ内の幅方向に延在する延在部１８１２とを有している。
保持部１８１０には、第１、第２、第３のズームレンズ１８０２、１８０４、１８０５の縁部１８０８に対応して鏡筒１２の前面および後面に平行して延在する直線部１８１４がそれぞれ設けられている。
図１６に示すように、延在部１８１２には、ロッド挿通孔１８１４が設けられ、また、鏡筒１２の長手方向において互いに対向するフランジ１８１６、１８１６が設けられ、これらフランジ１８１６、１８１６には、図８に示すように、軸３６０２、３６０２を介して雌ねじ３６０４を有する雌ねじ部材３６が鏡筒１２の長手方向に移動不能に結合される。
また、延在部１８１２とは反対側に位置する保持部１８１０の箇所で部品収容空間１２０２Ａの隅部１２０２Ｂ（本実施例では左側面と後面とが交わる箇所）に位置する箇所に係合溝１８１８が形成されている。
【００１４】
ロッド挿通孔１８１４には、第１鏡筒分割体１２０２の長さ方向に延在する金属製のメインガイド軸３８が滑動可能に挿通されている。このメインガイド軸３８はその長さ方向の両端が第１鏡筒分割体１２０２の上面を構成する壁部と、第３鏡筒分割体１２０６の壁部とで支持されている。メインガイド軸３８は第１、第２、第３のズームレンズ１８０２、１８０４、１８０５の光軸と平行して延在しており、本実施例では第１鏡筒分割体１２０２の長さ方向に延在している。したがって、メインガイド軸３８はズーム用可動レンズ群１８を該ズーム用可動レンズ群１８の光軸方向に案内している。
係合溝１８１８には、第１鏡筒分割体１２０２の長さ方向に延在するサブガイド軸４０が滑動可能に挿通されている。したがって、サブガイド軸４０はズーム用レンズ群１８がメインガイド軸３８の回りに回転することを阻止している。サブガイド軸４０は第１鏡筒分割体１２０２と一体に形成されており、したがって、合成樹脂製である。
サブガイド軸４０は、詳細には、部品収容空間１２０２Ａの隅部１２０２Ｂから突出する脚部４００２と、この脚部４００２の先端に設けられた軸状部分４００４とで構成されている。サブガイド軸４０は第１、第２、第３のズームレンズ１８０２、１８０４、１８０５の光軸と平行して延在しており、本実施例では第１鏡筒分割体１２０２の長さ方向に延在している。
ズーム用可動レンズ群１８用の案内機構２８は、これらメインガイド軸３８とサブガイド軸４０によって構成されている。
【００１５】
図８、図１６に示すように、ズーム用可動レンズ群１８を移動させる駆動手段３２は、鏡筒１２の長さ方向に延在するホルダ３２０２と、ホルダ３２０２の上部に設けられたモータ３２０４と、ホルダ３２０２に沿って延在しモータ３２０４により回転駆動される雄ねじ部材３２０６とを有している。
ホルダ３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の雌ねじ３６０４に螺合され、したがってモータ３２０４の正逆転によりズーム用可動レンズ群１８はメインガイド軸３８およびサブガイド軸４０に案内されつつそれらの光軸方向に沿って往復移動される。
本実施例では、図１４に示すように、ズーム用可動レンズ群１８とメインガイド軸３８と雄ねじ部材３２０６とが第１鏡筒分割体１２０２の内部で第１鏡筒分割体１２０２の幅方向に並べられて配置され、サブガイド軸４０はメインガイド軸３８および雄ねじ部材３２０６とは反対側に位置するズーム用レンズ枠１８０６箇所に配置されることになる。
【００１６】
図８に示すように、第３鏡筒分割体１２０６は、部品収容空間１２０２Ａ内に臨む内部部分１２０６Ａと、部品収容空間１２０２Ａ外に位置する外部部分１２０６Ｂとを有している。
第２の固定レンズ群２４は、その光軸をズーム用可動レンズ群１８の光軸と一致させて内部部分１２０６Ａに取着され、また、第２固定レンズ群２４の後面にアイリス（絞り）４２が配置されている。このアイリス４２は、第３鏡筒分割体１２０６の外部部分１２０６Ｂに取着された駆動部４４により開閉される。
本実施例では、図１８に示すように、サブガイド軸４０は第１鏡筒分割体１２０２の下面よりも下方に突出され、より詳細には第１鏡筒分割体１２０２が第３鏡筒分割体１２０６に合わされる合わせ面よりも下方に突出され、このサブガイド軸４０の突出部分４０Ａが、第３鏡筒分割体１２０６の合わせ面の孔１２０６Ａに嵌合されることで第１鏡筒分割体１２０２と第３鏡筒分割体１２０６との位置決めがなされている。
なお、第１鏡筒分割体１２０２と第３鏡筒分割体１２０６とは図１４に示すように、前記駆動部４４近傍の箇所でねじ２０２により取着され、第２鏡筒分割体１２０４と第３鏡筒分割体１２０６とは図９に示すように、右側面寄りの箇所によりねじ２０４により取着されている。
【００１７】
第２鏡筒分割体１２０４の内部には、本実施例では、上下に開放された部品収容空間１２０４Ａが形成されており、第２鏡筒分割体１２０４の下部に撮像素子取付板４６が取着されることでこの部品収容空間１２０４Ａの下端は閉塞されている。したがって、本実施例では、第２鏡筒分割体１２０４は撮像素子取付板４６を含んで構成されている。
フォーカス用可動レンズ群２０と第３の固定レンズ群２６は、部品収容空間１２０４Ａ内で第２鏡筒分割体１２０４の幅方向中央に位置する箇所に配置されている。
【００１８】
フォーカス用可動レンズ群２０は、互いに貼り合わされた第１、第２のフォーカスレンズ２００２、２００４と、これら第１、第２のフォーカスレンズ２００２、２００４を支持するフォーカス用レンズ枠２００６とを有している。
図１５に示すように、鏡筒１２の厚さ方向の両端に位置する第１、第２のフォーカスレンズ２００２、２００４の部分はそれぞれ切り取られ、これにより鏡筒１２の厚さ方向の端部に位置する第１、第２のフォーカスレンズ２００２、２００４の両端には、鏡筒１２の前面および後面に平行して直線状に延在する縁部２００８が設けられている。
フォーカス用レンズ枠２００６は、第１、第２のフォーカスレンズ２００２、２００４の周囲に位置しこれら第１、第２のフォーカスレンズ２００２、２００４を保持する保持部２０１０と、この保持部２０１０から部品収容空間１２０４Ａ内の幅方向に延在する延在部２０１２とを有している。
保持部２０１０には、第１、第２のフォーカスレンズ２００２、２００４の縁部２００８に対応して鏡筒１２の前面および後面に平行して延在する直線部２０１４がそれぞれ設けられている。
延在部２０１２には、ロッド挿通孔２０１４が設けられ、また、図１６に示すように、鏡筒１２の長手方向において互いに対向するフランジ２０１６、２０１６が設けられ、これらフランジ２０１６、２０１６には、図９に示すように、軸４８０２、４８０２を介して雌ねじ４８０４を有する雌ねじ部材４８が鏡筒１２の長手方向に移動不能に結合される。
また、延在部２０１２とは反対側に位置する保持部２０１０の箇所で部品収容空間１２０４Ａの隅部１４０２Ｂ（本実施例では左側面と後面とが交わる箇所）に位置する箇所に係合溝２０１８が形成されている。
【００１９】
ロッド挿通孔２０１４には、第２鏡筒分割体１２０４の長さ方向に延在する金属製のメインガイド軸５０が滑動可能に挿通されている。このメインガイド軸５０はその長さ方向の両端が第３鏡筒分割体１２０６の壁部と、第２鏡筒分割体１２０４の下部に設けられた壁部とで支持されている。メインガイド軸５０は第１、第２のフォーカスレンズ２００２、２００４の光軸と平行して延在しており、本実施例では第２鏡筒分割体１２０４の長さ方向に延在している。したがって、メインガイド軸５０はフォーカス用可動レンズ群２０を該フォーカス用可動レンズ群２８の光軸方向に案内している。
係合溝２０１８には、第２鏡筒分割体１２０４の長さ方向に延在するサブガイド軸５２が滑動可能に挿通されている。したがって、サブガイド軸５２はフォーカス用レンズ群２０がメインガイド軸５０の回りに回転することを阻止している。サブガイド軸５２は第２鏡筒分割体１２０４と一体に形成されており、したがって、合成樹脂製である。サブガイド軸５２は、詳細には、部品収容空間１２０４Ａの隅部から突出する脚部５２０２と、この脚部５２０２の先端に設けられた軸状部分５２０４とで構成されている。サブガイド軸５２は第１、第２のフォーカスレンズ２００２、２００４の光軸と平行して延在しており、本実施例では第２鏡筒分割体１２０４の長さ方向に延在している。
フォーカス用可動レンズ群２０用の案内機構３０は、これらメインガイド軸３８とサブガイド軸４０によって構成されている。
なお、本実施の形態では、図１８に示すように、サブガイド軸５２は第２鏡筒分割体１２０４の上面よりも上方に突出され、より詳細には第２鏡筒分割体１２０４が第３鏡筒分割体１２０６に合わされる合わせ面よりも上方に突出され、このサブガイド軸５２の突出部分５２Ａが、第３鏡筒分割体１２０６の合わせ面の孔１２０６Ｂに嵌合されることで第２鏡筒分割体１２０４と第３鏡筒分割体１２０６の位置決めがなされている。
【００２０】
フォーカス用可動レンズ群２０を移動させる駆動手段３４は、鏡筒１２の長さ方向に延在するホルダ３４０２と、ホルダ３４０２の下部に設けられたモータ３４０４と、ホルダ３４０２に沿って延在しモータ３４０４により回転駆動される雄ねじ部材３４０６とを有している。
ホルダ３４０２は第２鏡筒分割体１２０４の右側面の欠部に取着され、これにより雄ねじ部材３４０６が部品収容空間１２０４Ａに位置し、モータ３４０４は第２鏡筒分割体１２０４の下部に位置する。
雄ねじ部材３４０６は雌ねじ部材４８の雌ねじ４８０４に螺合され、したがってモータ３４０４の正逆転によりフォーカス用可動レンズ群２０はメインガイド軸５０およびサブガイド軸５２に案内されつつそれらの光軸方向に沿って往復移動される。
したがって、本実施例では、フォーカス用可動レンズ群２０とメインガイド軸５０と雄ねじ部材３４０４とが第２鏡筒分割体１２０４の内部で第２鏡筒分割体１２０４の幅方向に並べられて配置され、サブガイド軸５２はメインガイド軸５０および雄ねじ部材３０６とは反対側に位置するフォーカス用レンズ枠２００６箇所に配置されることになる。
第３の固定レンズ群２６は、フォーカス用可動レンズ群２０の下方の部品収容空間１２０４Ａ箇所に配置され、第２鏡筒分割体１２０４の取付部に組み込まれる第３の固定レンズ２６０２と、この第３の固定レンズ２６０２を前記取付部に固定させる押え部材２６０４とで構成されている。
【００２１】
撮像素子取付板４６は、部品収容空間１２０４Ａの下端を閉塞するように第２鏡筒分割体１２０４の下部にねじ２０６、２０６によって取着されている。
撮像素子１２８は、撮像素子取付板４６が部品収容空間１２０４Ａに臨む内面に配置されている。
本実施例では撮像素子取付板４６に矩形の窓４６０２が設けられ、この窓４６０２に撮像素子１２８が嵌め込まれて配置され、撮像素子取付板４６の内面で撮像素子１２８の上面にシールガラス４６０４、シールゴム４６０６およびローパスフィルタ４６０８が配置され、押さえ板４６１０によって固定されている。
【００２２】
なお、図１１、図１２、図１３、図１７に示すように、部品収容空間１２０４Ａに臨む第２鏡筒分割体１２０４の後面箇所で第２鏡筒分割体１２０４Ａの上端と第２の固定レンズ群２４との間の箇所には凹凸部１２０４Ｃが設けられている。
また、部品収容空間１２０４Ａに臨む第２鏡筒分割体１２０４の後面箇所で第３の固定レンズ群２６と撮像素子１２８との間の箇所には凹凸部１２０４Ｄが設けられている。
これらの凹凸部１２０４Ｃ、１２０４Ｄは、対物レンズ１４、反射部材１６、第１の固定レンズ群２２、ズーム用可動レンズ群１８、第２固定レンズ群２４、フォーカス用可動レンズ群２０を介して進入してきた光のうち、部品収容空間１２０４Ａに臨む第２鏡筒分割体１２０４の後面箇所に到達した光が該後面箇所で反射されることで、いわゆるフレアあるいはゴーストと呼ばれる反射光が発生し、この反射光が撮像素子１２８の受光面に到達して撮像素子１２８の撮像信号に対して悪影響を及ぼすことを防止するために設けられている。特に、太陽などのように対物レンズ１４の光軸に対して斜め上方から入射する光源がある場合、その光源からの光線が上述した経路により第２鏡筒分割体１２０４の前記後面箇所に至るケースが多い。
なお、撮像素子１２８から遠い箇所に設けられた凹凸部１２０４Ｃの凹凸の間隔に対して撮像素子１２８から近い箇所に設けられた凹凸部１２０４Ｄの凹凸の間隔が大きく形成されている。これは、凹凸部１２０４Ｃに当たる前記光の角度に対して凹凸部１２０４Ｄに当たる前記光の角度がより小さいためであり、このように凹凸部１２０４Ｃ、１２０４Ｄの凹凸の間隔を変えることで、第２鏡筒分割体１２０４の成形時に金型からの取り外し性が向上される利点がある。
【００２３】
次に上述のように構成された撮像装置１００の作用効果について説明する。
本実施例では、平板形状の鏡筒１２が用いられている。また、図１４に示すように、ズーム用可動レンズ群１８とメインガイド軸３８とは第１鏡筒分割体１２０２の内部で幅方向に沿って並べられて配置され、サブガイド軸４０は、ズーム用可動レンズ群１８を挟んでメインガイド軸３８とは反対側に位置する第１鏡筒分割体１２０２の内部で幅方向と厚さ方向とが交わるデッドスペースである隅部１２０２Ｂに配置されている。また、図１５に示すように、フォーカス用可動レンズ群２０とメインガイド軸５０とは第２鏡筒分割体１２０４の内部で幅方向に沿って並べられて配置され、サブガイド軸５２は、フォーカス用可動レンズ群２０を挟んでメインガイド軸５０とは反対側に位置する第２鏡筒分割体１２０４の内部で幅方向と厚さ方向とが交わるデッドスペースである隅部１２０４Ｂに配置されている。より詳細に説明すると、鏡筒１２の内部の断面が矩形の部品収容空間１２０２Ａ、１２０４Ａでは、メインガイド軸５０とは反対側に位置する第２鏡筒分割体１２０４の内部で幅方向に延在する壁部と厚さ方向に延在する壁部とが交わる箇所で、ズーム用レンズ枠１８０６あるいはフォーカス用レンズ枠２００６の移動軌跡の外側にほぼ三角柱状のデッドスペースが生じており、サブガイド軸４０、５２はこのデッドスペースである隅部１２０４Ｂに配置されている。
したがって、鏡筒１２の内部の断面が矩形の部品収容空間１２０２Ａ、１２０４Ａに、鏡筒１２の前面、後面および左右の側面に沿って可動レンズ群やその案内機構を効率よく配置でき、無駄なスペースの発生を防止でき、いたずらに突出部分などを設ける必要も無く、鏡筒１２の幅方向および厚さ方向の寸法を削減することができ、撮像装置の小型化を図る上で有利となる。また、レンズ装置１０を矩形板状のケース１２を有する撮像装置１００に組み込む際、鏡筒１２の前後面、上下面、左右側面の何れかをケース１２の前後面、上下面、左右側面の何れかに平行させることにより、鏡筒１２の外面とケース１２の内面との間に生じる無駄なスペースを削減することができ、撮像装置１００の小型化を図る上で有利である。
また、本実施例では、ズーム用可動レンズ１８０２、１８０４、１８０５およびフォーカス用可動レンズ２００２、２００４に、鏡筒１２の前面および後面に平行して延在する縁部１８０８、２００８がそれぞれ設けられ、ズーム用レンズ枠１８０６およびフォーカス用レンズ枠２００６に、鏡筒１２の前面および後面に平行して延在する直線部１８１４、２０１４がそれぞれ設けられているので、可動レンズ群の厚さ方向の寸法を削減でき、鏡筒１２の厚さ方向の寸法を削減する上でより有利となる。
また、本実施例では、サブガイド軸４０の突出部分４０Ａが、第３鏡筒分割体１２０６の合わせ面の孔１２０６Ａに嵌合されることで第１鏡筒分割体１２０２と第３鏡筒分割体１２０６との位置決めを行なうように構成し、また、サブガイド軸５２の突出部分５２Ａが、第３鏡筒分割体１２０６の合わせ面の孔１２０６Ｂに嵌合されることで第２鏡筒分割体１２０４と第３鏡筒分割体１２０６の位置決めを行なうように構成した。したがって、第１鏡筒分割体１２０２と第３鏡筒分割体１２０６との位置決め、および、第２鏡筒分割体１２０４と第３鏡筒分割体１２０６との位置決めを行なうために専用の位置決め部材を設ける必要が無いため、部品コストの削減を図る上で有利となり、また、鏡筒分割体同士の組付け精度を向上する上でも有利となる。
【００２４】
なお、本実施例においては、撮像装置としてデジタルスチルカメラを例示したが、本発明はビデオカメラやテレビカメラなど撮像装置に無論適用可能である。
【図面の簡単な説明】
【００２５】
【図１】実施例１の撮像装置を前方から見た斜視図である。
【図２】実施例１の撮像装置を後方から見た斜視図である。
【図３】実施例１の撮像装置を下方から見た斜視図である。
【図４】メモリカードおよびバッテリーの収容状態を説明する説明図である。
【図５】撮像装置の制御系を示すブロック図である。
【図６】レンズ鏡筒１０を斜め前方から見た斜視図である。
【図７】レンズ鏡筒１０を斜め後方から見た斜視図である。
【図８】レンズ鏡筒１０の一部の構成を示す分解斜視図である。
【図９】レンズ鏡筒１０の残りの構成を示す分解斜視図である。
【図１０】図６のＸＸ線断面図である。
【図１１】図６のＹＹ線断面図である。
【図１２】レンズ鏡筒１０の左側部分の断面斜視図である。
【図１３】レンズ鏡筒１０の右側部分の断面斜視図である。
【図１４】第１鏡筒分割体１２０２の横断面図である。
【図１５】第２鏡筒分割体１２０４の横断面図である。
【図１６】ズーム用可動レンズ群１８、フォーカス用可動レンズ群２０の斜視図である。
【図１７】第２鏡筒分割体１２０４の要部の断面斜視図である。
【図１８】第１鏡筒分割体１２０２、第２鏡筒分割体１２０４、第３鏡筒分割体１２０６の断面図である。
【符号の説明】
【００２６】
１００……撮像装置、１０……レンズ鏡筒、１２……鏡筒、１４……対物レンズ、１８……ズーム用可動レンズ群、２０……フォーカス用可動レンズ群、２８、３０……案内機構、３２、３４……駆動手段、１０４……光学系、１２８……撮像素子。
【図１】
2005121930.tif 000003
【図２】
2005121930.tif 000004
【図３】
2005121930.tif 000005
【図４】
2005121930.tif 000006
【図５】
2005121930.tif 000007
【図６】
2005121930.tif 000008
【図７】
2005121930.tif 000009
【図８】
2005121930.tif 000010
【図９】
2005121930.tif 000011
【図１０】
2005121930.tif 000012
【図１１】
2005121930.tif 000013
【図１２】
2005121930.tif 000014
【図１３】
2005121930.tif 000015
【図１４】
2005121930.tif 000016
【図１５】
2005121930.tif 000017
【図１６】
2005121930.tif 000018
【図１７】
2005121930.tif 000019
【図１８】
2005121930.tif 000020